(57)【要約】【課題】地下に雨水等を貯留及び／又は浸透する施設であって、下部層と上部層の上下２層からなる貯留槽を備え、施設全体が地中に埋設された雨水貯留浸透施設において、下部層と上部層との水平方向のずれが防止された雨水貯留浸透施設を提供する。【解決手段】貯留槽１０の下部層３Ａと上部層３Ｂとの境界面に段差４を形成し、この段差４によって下部層３Ａと上部層３Ｂとを相互に嵌合することにより下部層３Ａと上部層３Ｂとの水平方向のずれを防止する。【選択図】図１
2007239417.tif 000002
【特許請求の範囲】
【請求項１】
地下に雨水等を貯留及び／又は浸透する施設であって、下部層と上部層の上下２層からなる貯留槽を備え、施設全体が地中に埋設された雨水貯留浸透施設において、
前記下部層と上部層との水平方向のずれを防止する水平方向ずれ防止手段が、下部層と上部層との境界部分に設けられたことを特徴とする雨水貯留浸透施設。
【請求項２】
前記水平方向ずれ防止手段は、下部層と上部層との境界面に形成された段差から構成され、この段差によって下部層と上部層とが相互に嵌合されることにより下部層と上部層との水平方向のずれが防止されることを特徴とする請求項１記載の雨水貯留浸透施設。
【請求項３】
前記水平方向ずれ防止手段は、前記下部層と上部層の外周側面に、これら下部層と上部層の境界部分に対応して設けられた側面支持部材から構成され、下部層および上部層の外周側面が側面支持部材で支持されることにより下部層と上部層との水平方向のずれが防止されることを特徴とする請求項１記載の雨水貯留浸透施設。
【発明の詳細な説明】
【技術分野】
【０００１】
本発明は、雨水を貯留及び／又浸透する雨水貯留浸透施設に関する。
【背景技術】
【０００２】
従来から、地下に雨水等を貯留及び／又は浸透する施設であって、下部層と上部層の上下２層からなる貯留槽を備え、施設全体が地中に埋設された雨水貯留浸透施設が知られている（例えば、特許文献１参照。）。
【０００３】
上記特許文献１に記載された雨水貯留浸透施設は、土壌を掘削して得られた設置穴の底面に配設される第１貯留浸透槽（下部層）と、この第１貯留浸透槽（下部層）の上段に配設される第２貯留浸透槽（上部層）とを備えたものである。そして、第１貯留浸透槽（下部層）は、箱状の第１貯留浸透ユニットを複数組み合わせた第１貯留浸透ユニット群で構成され、第２貯留浸透槽（上部層）は、複数の凹凸板を横方向に積層させながら組み合わせてなるハニカム形状のブロック状積層体から構成されるブロック状積層体群で構成されており、機械的強度を確保するとともに、コストを削減することを目的としてなされたものである。
【特許文献１】特許第３４１００９０号公報
【発明の開示】
【発明が解決しようとする課題】
【０００４】
しかしながら、上記特許文献１に記載された雨水貯留浸透施設では、第１貯留浸透槽（下部層）の上に第２貯留浸透槽（上部層）が単に積み重ねられることによって設けられている。
【０００５】
このため、地震による横揺れが生じた場合には、下部層と上部層とが水平方向にずれてしまい、崩れるおそれがある。
【０００６】
本発明は、このような事情に鑑み創案されたもので、地下に雨水等を貯留及び／又は浸透する施設であって、下部層と上部層の上下２層からなる貯留槽を備え、施設全体が地中に埋設された雨水貯留浸透施設において、下部層と上部層との水平方向のずれを防止することを目的とするものである。
【課題を解決するための手段】
【０００７】
上記の目的を達成するため本発明は、地下に雨水等を貯留及び／又は浸透する施設であって、下部層と上部層の上下２層からなる貯留槽を備え、施設全体が地中に埋設された雨水貯留浸透施設において、前記下部層と上部層との水平方向のずれを防止する水平方向ずれ防止手段が、下部層と上部層との境界部分に設けられたことを特徴とする。
【０００８】
この発明によれば、水平方向ずれ防止手段により下部層と上部層との水平方向のずれを防止することができるので、地震により横揺れが発生した場合であっても、下部層と上部層とが水平方向にずれることが防止され、崩れるおそれがなくなる。
【０００９】
また、本発明は、上記構成の雨水貯留浸透施設において、前記水平方向ずれ防止手段は、下部層と上部層との境界面に形成された段差から構成され、この段差によって下部層と上部層とが相互に嵌合されることにより下部層と上部層との水平方向のずれが防止されることを特徴とする。
【００１０】
この発明によれば、下部層と上部層とを嵌合することにより下部層と上部層との水平方向のずれを防止することができるので、地震により横揺れが発生した場合であっても、下部層と上部層とが水平方向にずれることが防止され、崩れるおそれがなくなる。
【００１１】
また、本発明は、上記構成の雨水貯留浸透施設において、前記水平方向ずれ防止手段は、前記下部層と上部層の外周側面に、これら下部層と上部層の境界部分に対応して設けられた側面支持部材から構成され、下部層および上部層の外周側面が側面支持部材で支持されることにより下部層と上部層との水平方向のずれが防止されることを特徴とする。
【００１２】
この発明によれば、下部層と上部層の外周側面を側面支持部で支持することにより下部層と上部層との水平方向のずれを防止することができるので、地震により横揺れが発生した場合であっても、下部層と上部層とが水平方向にずれることが防止され、崩れるおそれがなくなる。
【発明の効果】
【００１３】
本発明によれば、地下に雨水等を貯留及び／又は浸透する施設であって、下部層と上部層の上下２層からなる貯留槽を備え、施設全体が地中に埋設された雨水貯留浸透施設において、下部層と上部層との水平方向のずれが防止された雨水貯留浸透施設を提供することが可能になる。
【発明を実施するための最良の形態】
【００１４】
＜第１実施形態＞
以下、本発明の一実施形態について、図面を参照して説明する。
【００１５】
図１には、本発明の第１実施形態に係る雨水貯留浸透施設の概略構成が示されている。
【００１６】
この雨水貯留浸透施設は、下部層３Ａと上部層３Ｂの上下２層からなる貯留槽１０を備え、施設全体が地中に埋設された雨水貯留浸透施設において、下部層３Ａと上部層３Ｂとの境界面に段差４（水平方向ずれ防止手段）が形成され、この段差４によって下部層３Ａと上部層３Ｂとが相互に嵌合されることにより下部層３Ａと上部層３Ｂとの水平方向のずれが防止されるように構成された点に特徴を有している。
【００１７】
なお、本実施の形態では、雨水等を貯留する貯留施設について説明する。雨水等を浸透する施設は、この施設の貯留槽底部及び／又は側部に透水性シートが用いられれば良いだけであるので、特に説明はしない。
【００１８】
雨水貯留浸透施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、図１に示すように、地面１を掘下げて形成した貯留槽１０と、貯留槽１０内に水平方向に並べて設置するとともに、上下方向に重ねる多数の第１の充填部材３０Ａが配設された下部層３Ａと、充填部材３０Ａの上部に設置される第２の充填部材３０Ｂが配設された上部層３Ｂとを備えている。
【００１９】
貯留槽１０は、地面１を例えば１〜１０ｍ程度の深さで平面形状が矩形状に掘下げて造成された掘削部２内に設けられ、この掘削部２の底面は割栗石等を敷き詰めて突き固めて形成された基礎部２１とされている。貯留槽１０の底面は、基本的には平坦面となっており、底面の一方の辺方向の中央部には平坦面から一段落ち込んだ凹窪部１１が形成されている。この凹窪部１１は底面の他方の辺方向の全幅にわたって形成されている。凹窪部１１の底面及び貯留槽１０の底面全面には、防水シート１２が敷設されている。そして、貯留槽１０の底面の凹窪部１１には格子状のフレーム１３が嵌め込まれ、貯留槽１０の底面は全面が略平坦となっている。
【００２０】
このように略平坦とされた貯留槽１０の底面に、雨水等を重力及び／又は雨水流により所望の方向に誘導する誘導手段を備えた多数の充填部材３０Ａが水平に並べられるとともに、上下に重ねられて設置されており、下部層３Ａを形成している。
【００２１】
また、貯留槽１０内には、上下方向に貫通するスペースが設けられ、凹窪部１１に連通する角型マンホール（図示省略）が設置されている。そして、第１の充填部材３０Ａの傾斜板部３２で誘導された雨水が砂等と共に凹窪部１１に誘導され落下する構成となっている。また、この角型マンホールは、凹窪部１１に堆積された砂等の堆積物を除去する際に、バキューム管や洗浄水を噴射する管を通すスペースとして利用される。したがって、貯留施設内の砂等を容易に除去することができ、砂等の異物堆積による貯留槽内の雨水貯留量低下を防止することができる。
【００２２】
第１の充填部材３０Ａは、例えば図２に示すように、ポリエチレン、ポリプロピレン、塩化ビニル、ポリエチレンテレフタレート等のプラスチックや、これらの廃プラスチック等から形成され、貯留槽１０の上部を覆う第２の充填部材３０Ｂの垂直荷重や水圧による水平荷重等を支持し、貯留槽１０の空間を確保する４本の柱状の連結部３１と、４本の連結部３１に固定され水平面に対して５度程度の角度で傾斜する傾斜板部３２とから構成されている。
【００２３】
なお、第１の充填部材３０Ａは、連結部３１の上部に連結部材３１０を挟んで積み上げるようにしてもよい。
【００２４】
そして、第１の充填部材３０Ａは、例えば、傾斜板部３２により誘導された雨水が、水流を生じさせて、徐々に傾斜板部３２の隙間から落下するように配置されている。
【００２５】
このように、雨水は、第１の充填部材３０Ａにより凹窪部１１に向けて徐々に落下して誘導される。
【００２６】
また、第１の充填部材３０Ａは、その上面が略水平になるように積み重ねられている。そして、外周に配置される第１の充填部材３０Ａは、その内側に配置される第１の充填部材３０Ａよりも高く積み上げられており、最上面（下部層３Ａの上面）において、段差４を形成するようになされている。
【００２７】
第２の充填部材３０Ｂも、第１の充填部材３０Ａと同様に、単位体積当たりの空隙率が高いことや、実用上十分な強度、耐久性を有することが要求されるとともに、運搬施工が容易であり、維持管理が容易であることが要求されている。
【００２８】
このため、高強度で剛性を有し、かつ腐食のない材料で作成されていることが望ましく、例えば、ポリエチレン、ポリプロピレン、塩化ビニル、ポリエチレンテレフタレート等のプラスチックや、これらの廃プラスチック等から形成されると好都合である。
【００２９】
第２の充填部材３０Ｂは、例えば図３に示すように、支柱部材３３と、この支柱部材３３を連結する連結部３４が形成された連通枠状部材３５から構成されたものである。
【００３０】
この第２の充填部材３０Ｂは、第１の充填部材３０Ａの上部に、第１の充填部材３０Ａが貯留槽底部に置かれたと同様に積み重ねられ、上部層３Ｂを形成している。積み重ねる際の積み重ね高さは、貯留槽の高さから第１の充填部材の高さを差し引いた高さとなるだけの段数に積み重ねられればよく、平面的には、第１の充填部材の略直上に、そのまま積み重ねられればよい。
【００３１】
したがって、段差４では、第１の充填部材３０Ａの内側に第２の充填部材３０Ｂが嵌め込まれることになる。このように下部層３Ａと上部層３Ｂとが嵌合されるので、下部層３Ａと上部層３Ｂとの水平方向のずれが防止される。
【００３２】
また、第１の充填部材３０Ａの上に第２の充填部材３０Ｂが積み重ねられて配置されており、第２の充填部材３０Ｂ自体が合成樹脂製であって高強度でありかつ軽量であるため、メンテナンス等で充填部材を撤去しなければならなくなった場合にでも、その撤去や再積み重ね作業時の取り扱いが容易であり、施工性が良い。
【００３３】
さらに、第２の充填部材３０Ｂが、貯留槽に流入した雨水等を第１の充填部材３０Ａ上に分配し、分配された雨水に含まれる砂等の堆積物は、第１の充填部材３０Ａの誘導手段により、貯留槽内周部や底部の全面に広がらず、所定の位置に堆積させることができる。
＜第２実施形態＞
次に、本発明の他の実施形態について、図面を参照して説明する。
【００３４】
図４（ａ）には、本発明の第２実施形態に係る雨水貯留浸透施設の概略構成が示されている。
【００３５】
この雨水貯留浸透施設は、下部層３Ａと上部層３Ｂの上下２層からなる貯留槽１０を備え、施設全体が地中に埋設された雨水貯留浸透施設において、下部層３Ａと上部層３Ｂの外周側面に、これら下部層３Ａと上部層３Ｂの境界部分に対応して側面支持部材５（水平方向ずれ防止手段）が設けられ、下部層３Ａおよび上部層３Ｂの外周側面が側面支持部材５で支持されることにより下部層３Ａと上部層３Ｂとの水平方向のずれが防止されるように構成された点に特徴を有している。
【００３６】
なお、基本的な構成は上記の雨水貯留浸透施設と同様であるので、同一構成のものについては、同じ符号を付し、詳細な説明を省略する。
【００３７】
下部層３Ａを構成する第１の充填部材３０Ａは、水平面を形成するように積み上げられており、その上部に上部層３Ｂを構成する第２の充填部材３０Ｂが積み上げられている。
【００３８】
側面支持部材５は、例えば合成樹脂製や鉄製の板状体で形成されており、これら下部層３Ａと上部層３Ｂの境界部分に対応して、下部層３Ａと上部層３Ｂの外周側面に、接着あるいは螺子止めにより設けられている。このように、側面支持部材５でこれら下部層３Ａと上部層３Ｂの外周側面を支持することにより下部層３Ａと上部層３Ｂとの水平方向のずれが防止されるように図られている。
【００３９】
なお、側面支持部材５は、下部層３Ａと上部層３Ｂの外周の全側面に設けなくとも、例えば、図４（ｂ）に示すように、第１充填部材３０Ａと第２充填部材３０Ｂの一単位ごとに各側面支持部材５０をそれぞれ設けてもよい。
【００４０】
以上、本発明の実施の形態について、一例としての実施例について説明したが、上述した実施例に限られるものではない。
【産業上の利用可能性】
【００４１】
本発明は、地下に雨水等を貯留及び／又は浸透する施設であって、下部層と上部層の上下２層からなる貯留槽を備え、施設全体が地中に埋設された雨水貯留浸透施設において、下部層と上部層との水平方向のずれが防止された雨水貯留浸透施設に適用できる。
【図面の簡単な説明】
【００４２】
【図１】本発明に係る雨水貯留浸透施設の一実施形態の概略を模式的に示す断面図である。
【図２】本発明の第１の充填部材の一例を示す斜視図である。
【図３】本発明の第２の充填部材の一例を示す斜視図である。
【図４】本発明に係る雨水貯留浸透施設の他の実施形態の概略を模式的に示す断面図である。
【符号の説明】
【００４３】
１０  貯留槽
３Ａ  下部層
３Ｂ  上部層
３０Ａ  第１の充填部材
３０Ｂ  第２の充填部材
４  段差
５  側面支持部材
【図１】
2007239417.tif 000003
【図２】
2007239417.tif 000004
【図３】
2007239417.tif 000005
【図４】
2007239417.tif 000006